(57)【特許請求の範囲】
【請求項１】
外部から原水を流入させる原水給水管部と、通常操作モードと内部洗浄モードとに切替えできる原水分岐給水切替装置と、浄水槽（活性炭浄水槽＋中空糸膜浄水槽）と、カルシウム製剤を添加する薬剤添加装置と、陰極室及び陽極室を有し各室に入水口と出水口とを有する電解槽と、陰極室生成水吐水口と、排水管部と、からなり、原水分岐給水切替装置を通常操作モード（正電圧印加での電解又は逆電圧印加での電解又は無電解による吐水、且つ陽極室通過水吐水モード）に切替えることで、陰極室を通過する原水は、順に原水給水管部、原水分岐給水切替装置、浄水槽原水入水口、浄水槽、浄水槽浄水出水口、薬剤添加装置、陰極室入水口、陰極室、陰極室出水口、陰極室生成水吐水口を通り、飲用可能なアルカリイオン水（又は酸性水、浄水）として吐水され、陽極室を通過する原水は、順に原水給水管部、原水分岐給水切替装置、浄水槽原水入水口、浄水槽、浄水槽浄水出水口、陽極室入水口、陽極室、陽極室出水口、排水管部を通り、酸性水（又はアルカリイオン水、浄水）として吐水され、原水分岐給水切替装置を内部洗浄モード（正電圧印加での電解又は逆電圧印加での電解又は無電解による吐水、且つ陽極室通過水循環モード）に切替えることで原水は、順に原水給水管部、原水分岐給水切替装置、陽極室出水口、陽極室、陽極室入水口、浄水槽浄水出水口、薬剤添加装置、陰極室入水口、陰極室、陰極室出水口、陰極室生成水吐水口を通り、飲用不可能な洗浄水（次亜塩素酸含有水又はアルカリ性洗浄水又は原水）として吐水できる連続式電解水生成器において、電解槽の隔膜を支持する壁に、陰極室及び陽極室を貫通する貫通孔を設けたことを特徴とする連続式電解水生成器。
【請求項２】
陰極室側又は陽極室側から、貫通孔に逆止弁機構を設けたことを特徴とする請求項１記載の連続式電解水生成器。
【請求項３】
陰極室生成水吐水口を内管を軟質管又は樹脂管、外管を硬質管又は金属管とする二重管構造としたことを特徴とする請求項１又は２記載の連続式電解水生成器。
【発明の詳細な説明】
【０００１】
【発明の属する技術分野】
本発明は、原水（例えば、水道水、井戸水）を浄化し、その浄化した水を電気分解（以下、電解という。）して電解水を生成するアルカリイオン整水器等の連続式電解水生成器に係るものであり、詳しくは電解水生成機能と、スケール（原水に含まれるカルシウム分や薬剤添加されるカルシウム製剤のカルシウム分）等を除去（剥離）するために行われる電解槽内の逆電洗浄機能と、電解槽の陽極室で生成される次亜塩素酸含有水（酸性水）等を、順に浄水槽、薬剤添加装置、電解槽の陰極室、陰極室生成水吐水口等に循環させて行う内部洗浄機能と、を有する連続式電解水生成器の改善に関する。
【０００２】
【従来の技術】
従来、電解水生成機能と内部洗浄機能とを有する連続式電解水生成器には、例えば、特開平１１−１９２４８３号公報等で開示されているように、洗浄回路切り換え機構を設けて、図２に示すように、該洗浄回路切り換え機構を通常操作モードに切替えた時においては、浄水槽から原水給水して、陰極室でアルカリイオン水（又は酸性水、浄水）を生成し陰極室生成水吐水口から吐水させ、陽極室で酸性水（又はアルカリイオン水、浄水）を生成し排水ホースから排水させ、図３に示すように、該洗浄回路切り換え機構を内部洗浄モードに切替えた時においては、電解槽の陽極室の出水口から原水給水して、陽極室で次亜塩素酸含有水（酸性水）等を生成し、陽極室入水口から順に中空糸膜浄水槽（中空糸膜の逆流洗浄は行わない。）、薬剤添加装置、電解槽、陰極室生成水吐水口等に循環させて（但し、原水の異常水圧等により、電解槽や水路回路部等が破損されないように、排水管部からは、原水の約半分が常時排水されている。）衛生保持できるものがある。
【０００３】
【発明が解決しようとする課題】
しかしながら、従来の連続式電解水生成器では、薬剤添加装置に添加されたカルシウム製剤を含有する浄水は陰極室にしか入らないから、陽極室で生成される酸性水には弱酸性のアストリンゼント効果に寄与する成分（例えば、乳酸イオン）が十分に移動しないので、あまりその効果が期待出来なかった。
【０００４】
本発明は、従来の技術の有するこのような問題点に鑑みてなされたものであり、その目的とするところは、薬剤添加装置に添加されたカルシウム製剤を含有する浄水を陰極室のみならず、陽極室にもいきわたる電解水生成機能と内部洗浄機能とを有する連続式電解水生成器を提供しようとするものである。
【０００５】
【課題を解決するための手段】
上記目的を達成するために、本発明における連続式電解水生成器においては、外部から原水を流入させる原水給水管部（例えば、給水ホース）と、通常操作モードと内部洗浄モードとに切替えできる原水分岐給水切替装置（例えば、原水入水口と、浄水槽原水入水口側出水口と、陽極室出水口側出水口と、を有する三方弁。電磁式、電動式、手動式等は問わない。）と、浄水槽（活性炭浄水槽と中空糸膜浄水槽とを有する一体型の浄水槽〔カートリッジともいう。〕でも、分離型の浄水槽でも良い。）と、薬剤添加装置（例えば、乳酸カルシウム製剤投入、溶解ができる添加筒。）と、陰極室及び陽極室を有し各室に入水口と出水口とを有する電解槽（例えば、特開平３−３８２９３号公報等参照。）と、陰極室生成水吐水口（例えば、１ウェイ方式では吐水パイプ、２ウェイ方式では分岐栓等への送水ホース）と、排水管部（例えば、排水ホース）と、からなり、原水分岐給水切替装置を通常操作モード（正電圧印加〔陰極室の電極をマイナス側とし、陽極室の電極をプラス側として、水の電解を行うための直流電圧等を印加すること。〕での電解又は逆電圧印加〔陰極室の電極をプラス側とし、陽極室の電極をマイナス側として、水の電解を行うための直流電圧等を印加すること。〕での電解又は無電解〔陰極室の電極及び陽極室の電極に、水の電解を行うための直流電圧等を印加しないこと。〕による吐水、且つ陽極室通過水吐水モード）に切替える（連動して切替えても良いし、個別に切替えても良い。）ことで、陰極室を通過する原水は、順に原水給水管部、原水分岐給水切替装置（原水入水口から浄水槽原水入水口側出水口を通る）、浄水槽原水入水口、浄水槽、浄水槽浄水出水口、薬剤添加装置、陰極室入水口、陰極室、陰極室出水口、陰極室生成水吐水口を通り、飲用可能なアルカリイオン水（逆電圧印加での電解においては酸性水、無電解においては浄水）として吐水され、陽極室を通過する原水は、順に原水給水管部、原水分岐給水切替装置、浄水槽原水入水口、浄水槽、浄水槽浄水出水口、陽極室入水口、陽極室、陽極室出水口、排水管部を通り、酸性水（逆電圧印加での電解においてはアルカリイオン水、無電解においては浄水）として吐水され、原水分岐給水切替装置を内部洗浄モード（正電圧印加での電解又は逆電圧印加での電解又は無電解による吐水、且つ陽極室通過水循環モード）に切替えることで原水は、順に原水給水管部、原水分岐給水切替装置（原水入水口から陽極室出水口側出水口を通る）、陽極室出水口、陽極室、陽極室入水口、浄水槽浄水出水口、薬剤添加装置、陰極室入水口、陰極室、陰極室出水口、陰極室生成水吐水口を通り、飲用不可能な洗浄水（正電圧印加での電解時は次亜塩素酸含有水、逆電圧印加での電解時はアルカリ性洗浄水、無電解時は原水）として吐水できる連続式電解水生成器において、電解槽の隔膜を支持する壁の下方部に、陰極室及び陽極室を貫通する貫通孔又は噴出嘴（ノズル）又は噴出孔（オリフィス）又はベンチュリ管形状孔又はベンチュリ管類似形成管形状孔等を設けたことを特徴とする。
【０００６】
細部においては、陰極室側又は陽極室側から、貫通孔又は噴出嘴（ノズル）又は噴出孔（オリフィス）又はベンチュリ管形状孔又はベンチュリ管類似形成管形状孔等に逆止弁機構を設けたことを特徴とする。
【０００７】
アルカリイオン水や酸性水による腐食等を防止するために、陰極室生成水吐水口を内管を軟質管（例えば、ゴムホース）又は樹脂管（例えば、塩化ビニル樹脂）、外管を硬質管（例えば、フレキシブルパイプ）又は金属管（例えば、ステンレス製スパイラル管）とする二重管構造としたことを特徴とする。
【０００８】
【発明の実施の形態】
発明の実施の形態について図面を参照して説明する。尚、図面に記載の「→」等の記号は、水の流れ方向をあらわすものとする。
図１は本発明の連続式電解水生成器１０の参考外観図である。
本発明の第一実施例の連続式電解水生成器１０（以下、本器１０という。）は、ケーシング１２と、トップカバー１１（取り外すと、浄水槽３０〔不図示ではあるが、活性炭浄水槽と中空糸膜浄水槽とを一体型に形成したもの。〕が見える。）と、外部から原水を流入させる原水給水管部２０（例えば、給水ホース）と、通常操作モードと内部洗浄モードとに切替えできる原水分岐給水切替装置２１（例えば、原水入水口と、浄水槽３０原水入水口側出水口と、陽極室６２入水口側出水口と、を有する三方弁。〔手動回転式の〕切替槓杆〔レバー〕又は切替コックで操作する。）と、浄水槽３０（活性炭浄水槽と中空糸膜浄水槽とを有する浄水槽〔カートリッジともいう。〕であって、浄水槽３０原水入水口と、浄水槽３０洗浄水入水口と、浄水槽３０浄水出水口と、を有することを特徴とする。交換可能。）と、流量検出装置４０（羽根車式流量センサ、ダイヤフラム式圧力センサ、フラッパ式圧力スイッチ等）と、カルシウム製剤を添加する薬剤添加装置５０（例えば、乳酸カルシウム製剤投入、溶解ができる添加筒）と、陰極室６１及び陽極室６２を有し各室に入水口と出水口とを有する電解槽６０と、陰極室生成水吐水口８１（例えば、１ウェイ方式では吐水パイプ、２ウェイ方式では分岐栓等への送水パイプ）と、排水管部８２（例えば、酸性水ホース）と、からなる。
【０００９】
細部においては、必要により原水分岐給水切替装置２１と陽極室６２入水口との間の配管路には定流量弁機構（不図示。例えば、オリフィス、フローシート、減圧弁）を設け、必要により薬剤添加装置５０及び電解槽６０の残留水を排水するための排水弁機構７２（例えば、常開型電磁式排水弁〔排水及び待機時は開弁、通水時は閉弁〕、ボール式〔水圧による加圧時は閉弁、無加圧時は開弁〕）を設けると良い。
【００１０】
図６（ａ）に示すように、電解槽６０の隔膜６４を支持する壁６５に、陰極室６１及び陽極室６２を貫通する貫通孔６３を設け、該貫通孔６３には、陽極室通過水吐水モードには陰極室６１入水口側から陽極室６２入水口側に水が流れ、陽極室通過水循環モードには、陽極室６２入水口側から陰極室６１入水口側に水が流れない逆止弁機構７１（例えば、フラッパ式、ボール式、シャトル式）を陽極室６２側に設けた。
又、該貫通孔６３には、陽極室通過水吐水モードには陰極室６１入水口側から陽極室６２入水口側に水が流れず、陽極室通過水循環モードには、陽極室６２入水口側から陰極室６１入水口側に水が流れる逆止弁機構７１を陰極室６１側に設けても良い。
【００１１】
定流量弁機構を設けない場合は、流量検出装置４０等からの信号により、例えば、適正流量ランプ等を点灯（点滅）したり、警報ブザー（メロディ）等を吹鳴したりして、流量を外部で制御して頂く（例えば、水道蛇口を絞る。）ようにして、内部洗浄に適した流量にする必要がある。
【００１２】
又、流量検出装置４０や原水分岐給水切替装置２１の切替位置検出部の各種センサ（例えば、磁石と磁気検出装置〔例えば、リードスイッチ、ホールＩＣ、磁気抵抗、コイル等〕との組合せ等）の信号を処理したり排水弁機構７２や電解槽６０を通電制御したりする電気回路部９０（電解槽で消費される電解電力又は電解電流等並びにマイコン式電気制御装置等で消費される電力又は電流等を供給する電源トランス９２〔パルス制御をする場合はスイッチング電源装置でも良い。〕と、電気電子部品等が実装される印刷配線基板ユニット〔スイッチ類９５、ＬＣＤ・ＬＥＤ等のランプ類の表示部９６、ブザー・スピーカ等の警報部９７等を含む。〕からなるマイコン式電気制御装置９１と、放熱板に取り付けられた半導体装置９３〔ダイオード、ＦＥＴ、トランジスタ類〕と、電源コード９４等と、からなる。）を設けてある。
【００１３】
マイコン式電気制御装置９１（印刷配線基板ユニット類）等は、樹脂ケース等に収納し、ポッティング材（例えば、ウレタン樹脂、ポリエステル樹脂、エポキシ樹脂、シリコーン樹脂等の電気絶縁材、接着シール材等で、他の材質の防水対策材、防湿対策材、結露対策材用等のものも含む。）等で封止して絶縁処理をすると良い。
【００１４】
電源トランス９２等は、樹脂ケース等に収納し、ポッティング材（例えば、ウレタン樹脂、ポリエステル樹脂、エポキシ樹脂、シリコーン樹脂等の電気絶縁材、接着シール材等で、他の材質の防水対策材、防湿対策材、結露対策材用等のものも含む。）等で封止して絶縁処理をすると良い。又、例えば、特開平７−２９００６３号公報等で開示されているように、水冷式としても良い。
【００１５】
放熱板取付半導体装置９３については、例えば、特開平１０−１２８３３３号公報等で開示されているように、陽極室６２出水口と陽極室生成水分岐排水切替装置８２との間の配管路（例えば、ステンレスパイプ）等に、該放熱板を取り付けて水冷方式としても良いし、自然空冷式又は強制空冷（ファン）式としても良いし、水冷方式と空冷方式との組合せでも良い。
【００１６】
そして、浄水槽３０や流量検出装置４０や薬剤添加装置５０や電解槽６０等の各構成部品を取り付けるだけで配管等が完了する水路部１００（樹脂製水路ブロック、樹脂製パイプ等）を設け、該水路部１００内には浄水槽３０の交換時の漏水を排水する排水ホース２２を設けてある。
【００１７】
又、デザインや見栄えのために、外管を軟質管（例えば、ゴムホース）、内管を金属管（例えば、ステンレス製スパイラル管）とする二重管構造の陰極室生成水吐水口８１を採用する場合があるが、内管を軟質管（例えば、ゴムホース）又は樹脂管（例えば、塩化ビニル樹脂）、外管を硬質管（例えば、フレキシブルパイプ）又は金属管（例えば、ステンレス製スパイラル管）とする二重管構造の陰極室生成水吐水口８１としたことで、該陰極室生成水吐水口８１自身のアルカリイオン水や酸性水による腐食等を防止することが可能になった。
【００１８】
図４は本発明の一実施例の本器１０の陽極室通過水吐水モード時の概略水路回路図である。
参考ではあるが、例えば、水道蛇口等に本器１０用の分岐栓１５等を接続し、原水を該分岐栓１５等から分岐させて、原水給水管部２０に供給している。
該分岐栓１５等には、不図示ではあるが、安全弁１６を設けてあるので、規定の圧力以上の水圧が加わると、原水給水管部２０に給水する前に、該安全弁１６から放水されて、減圧された原水が原水給水管部２０に供給される。この場合は、水圧を外部で制御して頂く（例えば、水道蛇口を絞る。）必要がある。
切替槓杆（切替コック）を操作し、原水分岐給水切替装置２１を「通常操作モード（正電圧印加での電解又は逆電圧印加での電解又は無電解による吐水、且つ陽極室通過水吐水モード）」に切替えることで、電解槽６０の陰極室６１を通過する原水は、順に原水給水管部２０、原水分岐給水切替装置２１（原水入水口から浄水槽３０原水入水口側出水口を通る）、浄水槽３０原水入水口、浄水槽３０、浄水槽３０浄水出水口、流量検出装置４０、薬剤添加装置５０、陰極室６１入水口、陰極室６１（一部の水は貫通孔６３から陽極室６２に入水する。）、陰極室６１出水口、陰極室生成水吐水口８１を通り、飲用可能なアルカリイオン水（逆電圧印加での電解においては酸性水、無電解においては浄水）として吐水され、電解槽６０の陽極室６２を通過する原水は、順に原水給水管部２０、原水分岐給水切替装置２１、浄水槽３０原水入水口、浄水槽３０、浄水槽３０浄水出水口、陽極室６２入水口、陽極室６２、陽極室６２出水口、排水管部８２を通り、弱酸性のアストリンゼント効果の高い酸性水（逆電圧印加での電解においてはアルカリイオン水、無電解においては浄水）として吐水（排水）される。
【００１９】
このように、薬剤添加装置５０に添加されたカルシウム製剤を含有する浄水は陰極室６１のみならず、陽極室６２にもいきわたるので、弱酸性のアストリンゼント効果の高い酸性水が吐水されることができた。
【００２０】
そして、電解槽６０の隔膜６４を支持する壁６５に、陰極室６１及び陽極室６２を貫通する貫通孔６３を設けることにより、陽極室６２内には入水口からの水流（例えば、渦流）とは別の新たなる水流（例えば、層流、渦流）が発生して、攪拌効果が向上して陽極（陽極室６２の電極）への均一的な接水となり、電解効率が向上（発生する酸素ガスや塩素ガスが陽極室の電極を被い、いわゆるエアーカーテン効果で電解効率が低下したり、前記ガスが電解槽の上部に溜まり電解水に溶けなかったりする欠点が改善された。）すると共に、陰極や隔膜へのスケール付着の片寄りを低く抑えることができた。
【００２１】
図５は本発明の一実施例の本器１０の陽極室通過水循環モード時の概略水路回路図である。
切替槓杆（切替コック）を操作し、原水分岐給水切替装置２１を「内部洗浄モード（正電圧印加での電解又は逆電圧印加での電解又は無電解による吐水、且つ陽極室通過水循環モード）」に切替えることで原水は、順に原水給水管部２０、原水分岐給水切替装置２１（原水入水口から陽極室６２入水口側出水口を通る）、陽極室６２出水口、陽極室６２、陽極室６２入水口、浄水槽３０浄水出水口、流量検出装置４０、薬剤添加装置５０、陰極室６１入水口、陰極室６１、陰極室６１出水口、陰極室生成水吐水口８１を通り、飲用不可能な洗浄水（正電圧印加での電解時は次亜塩素酸含有水、逆電圧印加での電解時はアルカリ性洗浄水、無電解時は原水）として吐水（排水）される。
但し、原水の異常水圧等により、電解槽６０や水路部１００等が破損されないように、排水管部８２からは、原水の約半分が常時排水されている。
【００２２】
上記のように、一実施例の本器１０の内部洗浄モードには、「電解内部洗浄モード（正電圧印加での電解による吐水且つ陽極室通過水循環モード）」として、次亜塩素酸含有水（酸性水）を循環させる方法と、「逆電内部洗浄モード（逆電圧印加での電解による吐水且つ陽極室通過水循環モード）」として、アルカリ性洗浄水を循環させる方法と、「無電解内部洗浄モード（無電解による吐水且つ陽極室通過水循環モード）」として、原水を循環させる方法と、があるので、選択して使用すると良い。
必要により薬剤添加装置５０及び電解槽６０の残留水を排水するための排水弁機構７２を開閉させると、薬剤添加装置５０と排水弁機構７２との間の配管路も洗浄（次亜塩素酸含有水又はアルカリ性洗浄水又は原水による洗浄）することができる。
【００２３】
誤飲防止のために、陰極室生成水吐水口８１から酸性水又は洗浄水が吐水（排水）されている場合は、飲用不可能ランプを点灯（点滅）させたり、警報ブザー（メロディ）を吹鳴（例えば、ピポピポ）させたりすると良い。
又、通水と同時に陰極室生成水吐水口８１からアルカリイオン水又は浄水が吐水された場合でも、衛生上は若干の捨て水は必要なので、飲用可能になるまで、飲用不可ランプを点灯（点滅）させたり、警報ブザー（メロディ）を吹鳴（例えば、ピポピポ）させたりすると良い。そして、飲用可能後に飲用可能ランプを点灯（点滅）させたり、安全ブザー（メロディ）を吹鳴（例えば、ピッピッ）させたりすると良い。
【００２４】
以上、本発明の好適な実施の形態について述べてきたが、本発明は上述する実施の形態に限定されるものでなく、発明の精神を逸脱しない範囲で多くの組合せ、改変等を施し得るのはもちろんである。
【００２５】
図６は貫通孔６３の種類をあらわした要部拡大断面図である。
電解槽６０の隔膜６４を支持する壁６５（例えば、特開平３−３８２９３号公報等で開示されている隔膜箱の枠体等で、６６は陽極室６２入水口に挿入される入口である。）に設けられた、陰極室６１及び陽極室６２を貫通（縦孔でも横孔でも斜孔でも良い。１孔でも複数孔でも良い。）する貫通孔６３〔図６（ａ）〕は、例えば、噴出嘴（ノズル）６３−１〔図６（ｂ）〕又は噴出孔（オリフィス）６３−２〔図６（ｃ）〕又はベンチュリ管形状孔６３−３〔図６（ｄ）〕又はベンチュリ管類似形成管形状孔等を包摂するものである。
【００２６】
例えば、マイコン式電気制御装置９１に内部洗浄時期警告タイマ等を設け、無使用積算時間等が規定値を超越した場合等は内部洗浄ランプ等を点灯（点滅）させたり、警報ブザー（メロディ）等を吹鳴させたりすると良い。
又、マイコン式電気制御装置９１に、浄水槽或いは活性炭浄水槽や中空糸膜浄水槽の寿命時期警告タイマ等を設け、使用水量及び／又は使用積算時間等が規定値を超越した場合等はカートリッジ寿命ランプ等を点灯（点滅）させたり、警報ブザー（メロディ）等を吹鳴させたりすると良い。
そして、マイコン式電気制御装置９１に電解槽の逆電洗浄（スケール除去）時期警告タイマ等を設け、使用水量及び／又は使用積算時間等が規定値を超越した場合等は逆電解洗浄ランプ等を点灯（点滅）させたり、警報ブザー（メロディ）等を吹鳴させたりすると良い。
【００２７】
本器１０は薬剤添加装置５０がケーシング１２に設けられ、トップカバー１１を取り外すと、浄水槽３０が見えるが、トップカバー１１を取り外すと、浄水槽３０と薬剤添加装置５０とが見えるようにしても良い。
【００２８】
本器１０においては、排水弁機構７２を常開型電磁式排水弁〔排水及び待機時は開弁、通水時は閉弁〕としたが、例えば、常閉型電磁式排水弁〔排水時は開弁、通水及び待機時は閉弁〕としても良い。
【００２９】
シンク（流し台）の下部に本器１０を設置するタイプに改造する場合は、原水給水管部と原水分岐給水切替装置との間に、例えば、常閉型電磁式給水弁を設け、外部リモコン方式（外部リモコンは給水栓等に配設する）で常閉型電磁式給水弁の開閉駆動と共に、例えば、電動式原水分岐給水切替装置等を駆動させれば、容易に改変することができる。
【００３０】
【発明の効果】
本発明における連続式電解水生成器においては、薬剤添加装置に添加されたカルシウム製剤を含有する浄水は陰極室のみならず、陽極室にもいきわたるので、弱酸性のアストリンゼント効果の高い酸性水が吐水されるという効果を奏する。
【００３１】
又、内管を軟質管又は樹脂管、外管を硬質管又は金属管とする二重管構造とした陰極室生成水吐水口により、アルカリイオン水や酸性水による腐食等が防止できるという効果を奏する。
【００３２】
又、電解槽の隔膜を支持する壁に、陰極室及び陽極室を貫通する貫通孔を設けることにより、陽極室内には入水口からの水流とは別の新たなる水流が発生して、攪拌効果が向上して陽極への均一的な接水となり、電解効率が向上すると共に、陰極や隔膜へのスケール付着の片寄りを低く抑えることができるという効果を奏する。
【図面の簡単な説明】
【図１】本発明の連続式電解水生成器の参考外観図である。
【図２】従来の連続式電解水生成器の陽極室通過水吐水モード時の概略水路回路図である。
【図３】従来の連続式電解水生成器の陽極室通過水循環モード時の概略水路回路図である。
【図４】本発明の一実施例の連続式電解水生成器の陽極室通過水吐水モード時の概略水路回路図である。
【図５】本発明の一実施例の連続式電解水生成器の陽極室通過水循環モード時の概略水路回路図である。
【図６】貫通孔の種類をあらわした要部拡大断面図である。
【符号の説明】
１０…連続式電解水生成器、１１…トップカバー、１２…ケーシング、１５…分岐栓、１６…安全弁、２０…原水給水管部（給水ホース）、２１…切替槓杆（切替コック）付きの三方弁方式の原水分岐給水切替装置、２２…排水ホース、３０…活性炭浄水槽及び中空糸膜浄水槽一体型浄水槽、３１…活性炭浄水槽、３２…中空糸膜浄水槽、３３…エア抜き機構、４０…流量検出装置、５０…薬剤添加装置、６０…電解槽、６１…陰極室、６２…陽極室、６３…貫通孔、６４…隔膜、６５…隔膜を支持する壁、６６…陽極室入水口に挿入される入口、７１…逆止弁機構、７２…排水弁機構、７３…定流量弁機構、８１…陰極室生成水吐水口（吐水パイプ等）、８２…排水管部（酸性水ホース）、９０…電気回路部、９１…マイコン式電気制御装置、９２…電源トランス（スイッチング電源装置）、９３…放熱板取付半導体装置、９４…電源コード、９５…スイッチ類、９６…ＬＣＤ・ＬＥＤ等のランプ類の表示部、９７…ブザー・スピーカ等の警報部、１００…水路部
【図１】
0003605653.tif 000002
【図２】
0003605653.tif 000003
【図３】
0003605653.tif 000004
【図４】
0003605653.tif 000005
【図５】
0003605653.tif 000006
【図６】
0003605653.tif 000007